(57)【特許請求の範囲】
【請求項１】
映像を撮影する撮像手段と、
前記撮像手段で撮影された映像を記憶媒体に保存できる形式の画像情報として出力する画像生成手段と、
前記画像生成手段で出力された画像情報に対応した管理情報を生成する管理情報生成手段と、
前記画像生成手段で出力された画像情報と前記管理情報生成手段で生成された画像情報に対応した管理情報とが動画形式であれば記憶媒体内の動画像保存領域、静止画形式であれば静止画像保存領域に保存する画像／管理情報保存手段と、
前記動画像保存領域から動画像データを取得する動画像取得手段と、
前記動画像保存領域から動画像データに付加された管理情報を取得する動画像管理情報取得手段と、
前記静止画像保存領域から静止画像データを取得する静止画像取得手段と、
前記静止画像保存領域から静止画像データに付加された管理情報を取得する静止画像管理情報取得手段と、
前記静止画像取得手段により取得された静止画像データを動画形式に変換する動画像変換手段と、
前記動画像変換手段により変換された画像データに対応した管理情報を生成し付加する動画ファイル生成手段と、
前記動画像管理情報取得手段及び前記静止画像管理情報取得手段から取得した前記管理情報に含まれる記録日時情報を基に、前記動画像取得手段により取得された動画像データ及び前記動画像管理情報取得手段で取得された管理情報、及び前記動画ファイル生成手段により生成された管理情報及び動画像データをソートし配置情報を生成する動画像ソート手段と、
前記動画像ソート手段で生成された配置情報を基に、前記動画像取得手段、前記動画像管理情報取得手段、前記動画ファイル生成手段から取得される動画像データ及びそれに対応した管理情報を配置し、外部機器に転送するための転送ファイルを生成する転送ファイル生成手段と、
前記転送ファイル生成手段により生成された前記転送ファイルを前記外部機器へ転送する外部機器転送手段と、
を備えることを特徴とする撮像装置。
【請求項２】
前記動画ファイル生成手段は、前記動画像変換手段で変換されたＭｐｅｇ圧縮された画像データに少なくとも記録日時情報、画像サイズ、圧縮レートを含む管理情報を生成し、前記管理情報を付加した画像ファイルを生成することを特徴とする請求項１記載の撮像装置。
【請求項３】
前記動画像ソート手段は、前記動画像管理情報取得手段より取得した前記管理情報に含まれる記録日時情報及び前記静止画像管理情報取得手段より取得した前記管理情報に含まれる記録日時情報から、前記外部機器転送手段に転送する前記転送ファイルを生成する際に、動画ファイル及び動画形式に変換された静止画ファイルの配置を可能とすることを特徴とする請求項１記載の撮像装置。
【請求項４】
前記動画像ソート手段は、前記動画像変換手段及び前記動画ファイル生成手段により生成された画像ファイル群を、前記動画像取得手段及び前記動画像管理情報取得手段で取得した動画ファイル群の前、あるいは後に配置することを可能とすることを特徴とする請求項１記載の撮像装置。
【請求項５】
前記転送ファイル生成手段は、前記動画像取得手段及び前記動画像管理情報取得手段で取得した動画像データ及び管理情報、前記動画ファイル生成手段で生成された管理情報及び動画ファイルを、前記動画像ソート手段のソート結果に応じて配置することを特徴とする請求項１記載の撮像装置。
【発明の詳細な説明】
【技術分野】
【０００１】
本発明は、メディアライター（外部機器）と接続可能な撮像装置に関する。特に、撮像装置内に記録されたＪｐｅｇ形式などの静止画像及びＭｐｅｇ形式の動画像をメディアライターに転送する際の転送技術に特徴のある撮像装置に関する。
【背景技術】
【０００２】
撮像装置は、記憶媒体の大容量化が進み、長時間記録が可能となっている。中でも、ハードディスク（ＨＤＤ）を記憶媒体とするカムコーダでは、１０時間以上の動画記録が可能となっている。
【０００３】
このように長時間記録ができるカムコーダでは、記憶媒体の大容量を活かし、単に動画を長時間記録するだけでなく静止画の撮影などにも広く利用されるようになりつつある。
【０００４】
上述のようにＭｐｅｇ形式をとる動画と、Ｊｐｅｇ形式をとる静止画を同一の記憶媒体内に保存するため、記憶媒体内の画像ファイル保存領域を動画用と静止画用に分ける技術が存在する（図８参照）（特許文献１）。
【０００５】
そして、記憶媒体内に存在する画像ファイルの鑑賞方法も多種多様化しており、カムコーダ本体をＤ端子やコンポジット端子及びＨＤＭＩ端子を用いてモニターに接続し、撮影した動画像や静止画像を鑑賞する以外に、以下に記載する鑑賞方法も実現している。
（１）ＰＣとの接続
ＰＣへ撮像装置を接続し、一旦撮像装置内に保存された動画ファイル及び静止画ファイルを取り込み、市販のオーサリングソフトを用いて、自由に編集し、更には静止画ファイルを動画形式に変換し、動画ファイルと一緒にＤＶＤディスクに焼き込む。そして、ファイナライズ処理を施すことで、市販のＤＶＤレコーダで動画及び静止画を鑑賞することで可能となっている（図９参照）。
（２）ＤＶＤメディアライターとの接続
８ｃｍ・１２ｃｍＤＶＤディスクに対応したメディアライターと接続し、撮像装置内に保存された動画ファイルをメディアライターに転送し、ディスクに焼き込み、鑑賞用ディスクを作成することも実現している。この手法では、市販されているあらゆる据え置きタイプのＤＶＤレコーダでの鑑賞も可能とするため、メディアライター側でファイナライズ処理を施し、ＤＶＤ−ＶＩＤＥＯ規格として、ディスクを生成する技術なども存在する（図１０参照）（非特許文献１）。
【特許文献１】特開２００４０８０６５２号公報
【非特許文献１】日本ビクター（株）  メディアライター  型名ＣＵ―ＶＤ４０
【発明の開示】
【発明が解決しようとする課題】
【０００６】
上述したように、記憶媒体の大容量化に伴い、カムコーダに対する、ユーザーの使用用途も単なる動画撮影だけでなく、静止画記録へも広がりつつある。そして、記憶媒体内の保存領域も静止画用と動画用に分けて保存する構成が主流となっている。
【０００８】
更に、動画ファイルと静止画ファイルを一緒にＤＶＤディスクに焼き込むためにＰＣを使用する場合、以下の不具合がある。即ち、ＨＤＤ内の画像データを吸上げ、市販のオーサリングソフトを利用し、Ｊｐｅｇ形式の静止画ファイルをＭｐｅｇ変換することで動画形式のファイルとして、ＤＶＤディスクメディアへの焼き込みを行う必要がある。これは、ユーザーにとって煩わしい処理となる。
【０００９】
また、メディアライターを使用する場合では、Ｊｐｅｇ形式の静止画ファイルそのものを焼き込むことはできない。仮にＪｐｅｇの状態で焼き込むことができたとしても、据え置きのＤＶＤレコーダで鑑賞するために、メディアライター内でファイナライズ処理を施した場合、Ｊｐｅｇ形式の静止画ファイルはファイナライズ対象から外れる。そのため、ＤＶＤレコーダでは動画と同等に再生し鑑賞することはできないという不便さを抱えている。
【００１０】
本発明の目的は、記録された静止画像を、ＰＣのオーサリングソフトなどの煩わしい処理を行わず、メディアライターの使用のみで簡単に動画像と共に鑑賞できるＤＶＤディスクを作成することが可能な撮像装置を提供することにある。
【課題を解決するための手段】
【００１１】
上記目的を達成するために、請求項１記載の撮像装置は、映像を撮影する撮像手段と、前記撮像手段で撮影された映像を記憶媒体に保存できる形式の画像情報として出力する画像生成手段と、前記画像生成手段で出力された画像情報に対応した管理情報を生成する管理情報生成手段と、前記画像生成手段で出力された画像情報と前記管理情報生成手段で生成された画像情報に対応した管理情報とが動画形式であれば記憶媒体内の動画像保存領域、静止画形式であれば静止画像保存領域に保存する画像／管理情報保存手段と、前記動画像保存領域から動画像データを取得する動画像取得手段と、前記動画像保存領域から動画像データに付加された管理情報を取得する動画像管理情報取得手段と、前記静止画像保存領域から静止画像データを取得する静止画像取得手段と、前記静止画像保存領域から静止画像データに付加された管理情報を取得する静止画像管理情報取得手段と、前記静止画像取得手段により取得された静止画像データを動画形式に変換する動画像変換手段と、前記動画像変換手段により変換された画像データに対応した管理情報を生成し付加する動画ファイル生成手段と、前記動画像管理情報取得手段及び前記静止画像管理情報取得手段から取得した前記管理情報に含まれる記録日時情報を基に、前記動画像取得手段により取得された動画像データ及び前記動画像管理情報取得手段で取得された管理情報、及び前記動画ファイル生成手段により生成された管理情報及び動画像データをソートし配置情報を生成する動画像ソート手段と、前記動画像ソート手段で生成された配置情報を基に、前記動画像取得手段、前記動画像管理情報取得手段、前記動画ファイル生成手段から取得される動画像データ及びそれに対応した管理情報を配置し、外部機器に転送するための転送ファイルを生成する転送ファイル生成手段と、前記転送ファイル生成手段により生成された前記転送ファイルを前記外部機器へ転送する外部機器転送手段と、を備えることを特徴とする。
【発明の効果】
【００１５】
本発明によれば、記録された静止画像を、ＰＣのオーサリングソフトなどの煩わしい処理を行わず、メディアライターの使用のみで簡単に動画像と共に鑑賞できるＤＶＤディスクを作成することが可能となる。
【発明を実施するための最良の形態】
【００１６】
以下、本発明の実施の形態を図面を参照しながら詳細に説明する。
【００１７】
図１は、本発明の実施の形態に係る撮像装置としての、内蔵ＨＤＤを記憶媒体とするＨＤＤカムコーダのブロック構成図である。
【００１８】
図１において、撮像手段１０１は、レンズ、固体撮像素子であるＣＣＤ（Ｃｈａｒｇｅ  Ｃｏｕｐｌｅｄ  Ｄｅｖｉｃｅ）などの回路が含まれる。
【００１９】
撮像信号を映像信号にする画像生成手段１０２は、ＣＣＤからの映像データに対し、ノイズリダクションなど画質に関わる各種フィルタ制御部を備える。また、画像生成手段１０２は、動画像を記録する場合に必要となるＭｐｅｇエンコード処理（Ｍｐｅｇ圧縮処理）、及び静止画像を記録する場合に必要となるＪｐｅｇエンコード処理（Ｊｐｅｇ圧縮処理）などを行う。そのために、画像生成手段１０２は、記憶媒体１０５に保存できる画像データ形式に変換する回路も備える。
【００２０】
管理情報生成手段１０３は、画像生成手段１０２で生成された、画像データに付加される管理情報を生成する。尚、ここでいう管理情報とは、記録サイズ、記録開始日時、記録終了日時などが含まれる。
【００２１】
画像／管理情報保存手段１０４は、画像生成手段１０２で生成された画像データ（画像情報）に、管理情報生成手段１０３で生成された管理情報を対応させて付加し、記憶媒体１０５に保存している。
【００２２】
記憶媒体１０５は、本実施の形態では、内蔵ＨＤＤを想定しているが、着脱可能なＨＤＤや、内蔵フラッシュメモリ、着脱可能なフラッシュメモリも適用される。
【００２３】
動画像保存領域１０６には、ユーザーが動画記録モードで撮影した場合、Ｍｐｅｇ形式の画像データ、及び該画像データに対応した管理情報が記憶（記録）される。尚、本領域に記録される記録フォーマットについては、ＡＶＣＨＤ、及びＤＶＤ−ＶＩＤＥＯ、ＤＶＤ−ＶＲ形式などが挙げられる。
【００２４】
静止画像保存領域１０７には、ユーザーが静止画記録モードで撮影した場合、Ｊｐｅｇ形式の画像データ、及び該画像データに対応した管理情報が記憶される。尚、本領域に記録される画像サイズは、ＶＧＡ、ＸＶＧＡ、ＳＶＧＡなど様々な画像サイズが挙げられる。
【００２５】
動画像取得手段１０８は、動画像保存領域１０６から、動画像管理情報取得手段１０９で取得された動画像日時情報より任意の日時情報に対応した動画像データを取得する処理を行う。
【００２６】
動画像管理情報取得手段１０９は、動画像保存領域１０６に保存された管理情報を全て取得し、該管理情報より、記録日時情報を取得する処理を行う。尚、ここでいう日時情報とは、各記録シーンの記録開始日時、記録終了日時情報が含まれる。また、本処理で取得された管理情報は、転送ファイル生成手段１１５にも利用される。
【００２７】
静止画像取得手段１１０は、静止画像保存領域１０７から、静止画像管理情報取得手段１１１で取得された静止画像日時情報より任意の日時情報に対応した静止画像データを取得する処理を行う。
【００２８】
静止画像管理情報取得手段１１１は、静止画像保存領域１０７に保存された管理情報を全て取得し、該管理情報より、記録日時情報を取得する処理を行う。尚、ここでいう日時情報とは、各記録シーンの記録日時情報が含まれる。また、本処理で取得された管理情報は、動画ファイル生成手段１１３にも利用される。
【００２９】
動画像変換手段１１２は、静止画データ（Ｊｐｅｇなど）を動画データ（Ｍｐｅｇなど）に変換する処理を行う。即ち、Ｊｐｅｇ圧縮された静止画像データをＭｐｅｇ圧縮形式に変換する。尚、静止画を動画変換する場合に必要とされる出力時間は任意に設定可能であり、静止画（Ｊｐｅｇ画像）を５秒間出力するようなＭｐｅｇ変換処理などが例として挙げられる。
【００３０】
動画ファイル生成手段１１３は、動画像変換手段１１２より生成されたＭｐｅｇファイルに静止画像管理情報取得手段１１１より取得された日時情報、画像サイズ、圧縮レートを管理情報として付加する処理を行う。また、動画ファイル生成手段１１３は、動画ファイルに必要な管理情報（記録開始時間、記録終了時間）などを生成し付加する処理を行う。
【００３１】
動画像ソート手段１１４は、動画像管理情報取得手段１０９、静止画像管理情報取得手段１１１より取得した画像記録日時情報を、記録日時順にソートし、配置情報を生成する処理を行う。また、動画像ソート手段１１４は、動画像変換手段１１２及び動画ファイル生成手段１１３により生成された画像ファイル群を、動画像取得手段１０８及び動画像管理情報取得手段１０９で取得した動画ファイル群の前、あるいは後に配置する。尚、ソートの手法は以下の第１乃至第３の実施の形態で述べる。
【００３２】
転送ファイル生成手段１１５は、動画像ソート手段１１４でソートされた日時情報を基に、該日時情報に対応した動画像ファイルを動画像取得手段１０８、動画像管理情報取得手段１０９、及び動画ファイル生成手段１１３より取得する。そして、転送ファイル生成手段１１５は、該ソート結果順に動画データ及び管理情報を配置し、メディアライター１１７への転送用ファイルを生成する。
【００３３】
外部機器転送手段１１６は、転送ファイル生成手段１１５で生成されたメディアライター１１７への転送ファイルを、外部機器であるメディアライター１１７へ転送するための回路で構成される。尚、転送インターフェースにはＵＳＢやＩＥＥＥなどが挙げられる。
【００３４】
メディアライター１１７は、本ＨＤＤカムコーダの外部機器として接続され、該メディアライター１１７は、転送ファイルを受信し、ＤＶＤディスクに受信データを焼き込むと共に、必要に応じてフィナライズを施すことも可能である。
【００３５】
尚、本実施の形態としては、市販されている様々な据え置きＤＶＤレコーダでも再生できるようにファイナライズ処理が自動で施されるメディアライター１１７を想定している。
【００３６】
ＲＡＭ１１８は、ＨＤＤカムコーダを動作させる処理を行うために使用される。
【００３７】
ＲＯＭ１１９は、本発明を実施するプログラム及びＨＤＤカムコーダを動作させるためのプログラムが保存される。
【００３８】
ＣＰＵ１２０は、本発明を実施するプログラム及び、ＨＤＤカムコーダを動作させるプログラムを実行するために使用される。
【００３９】
（第１の実施の形態）
ＨＤＤ内に保存された動画ファイル及び、動画像変換された静止画ファイルを、記録日時順に配置し、メディアライター１１７への転送ファイルの生成及び転送を行い、ＤＶＤディスクを作成する手法を図２、図３を用いて説明する。
【００４０】
図２（図２Ａ、図２Ｂ）は、図１の撮像装置によって実行される画像データ転送処理の第１の実施の形態の手順を示すフローチャートである。
【００４１】
具体的には、図２は、記憶媒体内１０５に保存された動画像及び静止画像に対し、静止画像を動画変換し、日時ソートをかけ、動画ファイル及び動画変換された静止画ファイルをメディアライター１１７に転送するまでの工程をフローチャートにしたものである。
【００４２】
まず、図２Ａにおいて、動画像保存領域１０６より動画像が存在するか否かの検索を行う（ステップＳ２０１、ステップＳ２０２）。そして、動画像が存在する場合、動画像日時情報（Ｍｔｉｍｅ）及び、動画像データ（Ｍ）を取得する（ステップＳ２０３、ステップＳ２０４）。また、動画像が存在しない場合、静止画像検索処理（ステップＳ２０５）に遷移する。
【００４３】
尚、ステップＳ２０１〜ステップＳ２０４の処理は、動画像取得手段１０８、動画像管理情報取得手段１０９内の処理内容となる。
【００４４】
静止画についても同様に、静止画像保存領域１０７より静止画像が存在するか否かの検索を行う（ステップＳ２０５、ステップＳ２０６）。そして、静止画像が存在する場合、静止画像日時情報（Ｐｔｉｍｅ）及び、動画像データ（Ｐ）を取得する（ステップＳ２０７、ステップＳ２０８）。
【００４５】
尚、ステップＳ２０５〜ステップＳ２０８の処理は、静止画像取得手段１１０、静止画像管理情報取得手段１１１内の処理内容となる。
【００４６】
ステップＳ２０９では、静止画形式（Ｊｐｅｇ）ファイルをＭｐｅｇ変換し（生成されたファイルをＭＰと称す）、Ｍｐｅｇファイルを生成する。
【００４７】
尚、ステップＳ２０９の処理は、動画像変換手段１１２内の処理内容となる。また該変換処理における動画生成時間は任意とする。ステップＳ２１０では、該Ｍｐｅｇ変換されたファイルに適した管理情報を動画ファイル生成する。尚、ステップＳ２１０の処理は動画ファイル生成手段１１３内の処理内容となる。
【００４８】
ステップＳ２１１では、生成されたＭＰにおいて、ステップＳ２０７で取得した日時情報に従って、記録日時の早い順に配列データを生成する。ステップＳ２１２では、ステップＳ２０４で取得した動画ファイル（Ｍ）において、ステップＳ２０３で取得した日時情報に従って、記録日時の早い順に配列データを生成する。
【００４９】
ステップＳ２１３〜ステップＳ２１９では、ステップＳ２１１、ステップＳ２１２の配列データより、動画ファイル及び動画変換された静止画ファイルの配列を生成する。
【００５０】
まず、ステップＳ２１３で、動画像と動画像変換された静止画像の順番を表すパラメータ（ｋ、ｎ）を初期化する。そして、動画変換された静止画データの記録日時情報（ＭＰｔｉｍｅ＿ｋ）と、動画の記録日時情報（Ｍｔｉｍｅ＿ｎ）を動画変換された静止画ファイル数、及び動画ファイル数分比較する。更に、図２Ｂにおいて、動画データと動画変換された静止画データを時系列で並べる（ステップＳ２１４〜ステップＳ２１９）。
【００５１】
尚、ステップＳ２１１〜ステップＳ２１９の処理は、動画像ソート手段１１４内の処理内容となる。
【００５２】
上記ソート結果を基に、動画ファイル及び動画変換された静止画ファイルを時系列で配置した外部機器転送用ファイルを生成し（ステップＳ２２０）、外部機器転送手段１１６により、メディアライター１１７に転送する（ステップＳ２２１）。そして、本処理を終了する。
【００５３】
図３は、図２のフローを実施した場合に転送されるファイルの概略図である。
【００５４】
３個の動画ファイル（Ｍ＿１，Ｍ＿２，Ｍ＿３）の記録開始時間と、５個の静止画ファイル（Ｐ＿１，Ｐ＿２，Ｐ＿３，Ｐ＿４，Ｐ＿５）の記録時間をソートし、記録時間の早い順に配置し外部機器への転送ファイルを生成している。
【００５５】
（第２の実施の形態）
第２の実施の形態では、ＤＶＤディスクを作成する以下の手法を図４、図５を用いて説明する。
【００５６】
まず、ＨＤＤ内に保存された動画ファイル及び、動画像変換された静止画ファイルを、記録日時順に配置する。そして、動画変換された静止画ファイルの記録時間が、動画ファイルの記録シーン開始時間から記録シーン終了時間内に位置する場合、該記録時間内の静止画記録時間と同じ位置に動画変換された静止画ファイルを挿入する処理を施す。その後、メディアライター１１７への転送ファイルの生成及び転送を行い、ＤＶＤディスクを作成する。
【００５７】
図４（図４Ａ、図４Ｂ）は、図１の撮像装置によって実行される画像データ転送処理の第２の実施の形態の手順を示すフローチャートである。
【００５８】
具体的には、図４は、記憶媒体内１０５に保存された動画像及び静止画像に対し、静止画像を動画変換し、日時ソートをかけ、動画ファイル及び動画変換された静止画ファイルをメディアライター１１７に転送するまでの工程をフローチャートにしたものである。
【００５９】
まず、図４Ａにおいて、動画像保存領域１０６より動画像が存在するか否かの検索を行う（ステップＳ４０１、ステップＳ４０２）。そして、動画像が存在する場合、動画像日時情報（Ｍｔｉｍｅ）及び、動画像データ（Ｍ）を取得する（ステップＳ４０３、ステップＳ４０４）。また、動画像が存在しない場合、静止画像検索処理（ステップＳ４０５）に遷移する。
【００６０】
尚、ステップＳ４０１〜ステップＳ４０４の処理は、動画像取得手段１０８、動画像管理情報取得手段１０９内の処理内容となる。
【００６１】
静止画についても同様に、静止画像保存領域１０７より静止画像が存在するか否かの検索を行う（ステップＳ４０５、ステップＳ４０６）。そして、静止画像が存在する場合、静止画像日時情報（Ｐｔｉｍｅ）及び、動画像データ（Ｐ）を取得する（ステップＳ４０７、ステップＳ４０８）。
【００６２】
尚、ステップＳ４０５〜ステップＳ４０８の処理は、静止画像取得手段１１０、静止画像管理情報取得手段１１１内の処理内容となる。
【００６３】
ステップＳ４０９では、静止画形式（Ｊｐｅｇ）ファイルをＭｐｅｇ変換し（生成されたファイルをＭＰと称す）、Ｍｐｅｇファイルを生成する。
【００６４】
尚、ステップＳ４０９の処理は、動画像変換手段１１２内の処理内容となる。また該変換処理における動画生成時間は任意とする。
【００６５】
ステップＳ４１０では、該Ｍｐｅｇ変換されたファイルに適した管理情報を動画ファイル生成する。尚、ステップＳ４１０の処理は動画ファイル生成手段１１３内の処理内容となる。
【００６６】
ステップＳ４１１では、生成されたＭＰにおいて、ステップＳ４０７で取得した日時情報に従って、記録日時の早い順に配列データを生成する。
【００６７】
ステップＳ４１２では、ステップＳ４０４で取得した動画ファイル（Ｍ）において、ステップＳ４０３で取得した日時情報に従って、記録日時の早い順に配列データを生成する。
【００６８】
ステップＳ４１３〜ステップＳ４２１では、ステップＳ４１１、ステップＳ４１２の配列データより、動画ファイル及び動画変換された静止画ファイルの配列を生成する。また、動画変換された静止画ファイルの記録時間が、動画シーン記録開始時間から動画シーン記録終了時間内に位置する場合、該動画シーン内に該動画変換された静止画ファイルを挿入する処理を施す。
【００６９】
まず、ステップＳ４１３で、動画像と動画像変換された静止画像の順番を表すパラメータ（ｋ、ｎ）を初期化する。以降、図４Ｂの処理になる。
【００７０】
次に、動画変換された静止画データの記録日時情報（ＭＰｔｉｍｅ）と、時系列に並べられた２つの動画シーン記録開始日時情報（Ｍｔｉｍｅ＿ｎ_ｓｔａ／Ｍｔｉｍｅ＿ｎ＋１_ｓｔａ）を動画変換された静止画ファイル数、及び動画ファイル数分比較する。そして、動画データと動画変換された静止画データを時系列で並べる（ステップＳ４１４）。
【００７１】
更に、動画ファイルのシーン記録開始時間（Ｍｔｉｍｅ＿ｎ_ｓｔａ）とシーン記録終了時間（Ｍｔｉｍｅ＿ｎ＿ｅｎｄ）を用いて、動画変換された静止画ファイルの記録時間（ＭＰｔｉｍｅ＿ｋ）が、シーン記録時間内に存在する場合は、以下の処理を行う。
【００７２】
即ち、該動画ファイル（Ｍｎ）内に該動画変換された静止画ファイル（ＭＰ＿ｋ）を静止画記録された時間（Ｐｔｉｍｅ＿ｋ）に挿入する処理を施す。また、Ｍｔｉｍｅ＿ｓｔａ＿ｎからＭｔｉｍｅ＿ｅｎｄ＿ｎ内にＭＰｔｉｍｅ＿ｋが存在しない場合、動画ファイル（Ｍ＿ｎ）の後に動画変換された静止画ファイル（ＭＰ＿ｋ）を配置する（ステップＳ４１５〜ステップＳ４２１）。
【００７３】
尚、ステップＳ４１１〜ステップＳ４２１の処理は、動画像ソート手段１１４内の処理内容となる。
【００７４】
上記ソート結果を基に、動画ファイル及び動画変換された静止画ファイルを時系列で配置した外部機器転送用ファイルを生成し（ステップＳ４２２）、外部機器転送手段１１６により、メディアライター１１７に転送する（ステップＳ４２３）。そして、本処理を終了する。
【００７５】
図５は、図４のフローを実施した場合に転送されるファイルの概略図である。
【００７６】
２個の動画ファイル（Ｍ＿１，Ｍ＿２）の記録開始時間と、３個の静止画ファイル（Ｐ＿１，Ｐ＿２，Ｐ＿３）の記録時間をソートし、記録時間の早い順に配置する。それと共に、動画ファイルＭ＿１の記録時間内に静止画ファイルＰ＿１が存在する場合、動画変換された静止画ファイルＭＰ＿１をＰ＿１の記録時間に挿入し、外部機器への転送ファイルを生成している。
【００７７】
（第３の実施の形態）
ＨＤＤ内に保存された動画像変換された静止画ファイル群を、動画ファイル群の前及び後に配置し、メディアライターへの転送ファイルの生成及び転送を行い、ＤＶＤディスクを作成する手法を図６、図７を用いて説明する。
【００７８】
図６は、図１の撮像装置によって実行される画像データ転送処理の第３の実施の形態の手順を示すフローチャートである。
【００７９】
具体的には、図６は、記憶媒体内１０５に保存された動画像及び静止画像に対し、静止画像を動画変換し、日時ソートをかけ、動画ファイル及び動画変換された静止画ファイルをメディアライター１１７に転送するまでの工程をフローチャートにしたものである。
【００８０】
まず、動画像保存領域１０６より動画像が存在するか否かの検索を行い（ステップＳ６０１、ステップＳ６０２）、動画像が存在する場合、動画像日時情報（Ｍｔｉｍｅ）及び、動画像データ（Ｍ）を取得する（ステップＳ６０３、ステップＳ６０４）。また、動画像が存在しない場合、静止画像検索処理（ステップＳ６０５）に遷移する。
【００８１】
尚、ステップＳ６０１〜ステップＳ６０４の処理は、動画像取得手段１０８、動画像管理情報取得手段１０９内の処理内容となる。
【００８２】
静止画についても同様に、静止画像保存領域１０７より静止画像が存在するか否かの検索を行う（ステップＳ６０５、ステップＳ６０６）。そして、静止画像が存在する場合、静止画像日時情報（Ｐｔｉｍｅ）及び、動画像データ（Ｐ）を取得する（ステップＳ６０７、ステップＳ６０８）。
【００８３】
尚、ステップＳ６０５〜ステップＳ６０８の処理は、静止画像取得手段１１０、静止画像管理情報取得手段１１１内の処理内容となる。
【００８４】
ステップＳ６０９では、静止画形式（Ｊｐｅｇ）ファイルをＭｐｅｇ変換し（生成されたファイルをＭＰと称す）、Ｍｐｅｇファイルを生成する。
【００８５】
尚、ステップＳ６０９の処理は、動画像変換手段１１２内の処理内容となる。また該変換処理における動画生成時間は任意とする。
【００８６】
ステップＳ６１０では、該Ｍｐｅｇ変換されたファイルに適した管理情報を動画ファイル生成する。
【００８７】
尚、ステップＳ６１０の処理は、動画ファイル生成手段１１３内の処理内容となる。
【００８８】
ステップＳ６１１では、生成されたＭＰにおいて、ステップＳ６０７で取得した日時情報に従って、記録日時の早い順に配列データを生成する。
【００８９】
ステップＳ６１２では、ステップＳ６０４で取得した動画ファイル（Ｍ）において、ステップＳ６０３で取得した日時情報に従って、記録日時の早い順に配列データを生成する。
【００９０】
ステップＳ６１３では、動画変換された静止画ファイル全て（ＭＰ＿ａｌｌ）を動画ファイル群（Ｍ＿ａｌｌ）の前、及び後ろに配置する。
【００９１】
尚、ステップＳ６１３の処理は、動画像ソート手段１１４内の処理内容となる。
【００９２】
上記ソート結果を基に、動画ファイル及び動画変換された静止画ファイルを時系列で配置した外部機器転送用ファイルを生成し（ステップＳ６１４）、外部機器転送手段１１６により、メディアライター１１７に転送する（ステップＳ６１５）。そして、本処理を終了する。
【００９３】
図７は、図６のフローを実施した場合に転送されるファイルの概略図である。
【００９４】
２個の動画ファイル群（Ｍ＿１，Ｍ＿２）の前及び後に、３個の静止画ファイル群（Ｐ＿１，Ｐ＿２，Ｐ＿３）を配置し外部機器への転送ファイルを生成している。
【００９５】
本発明によれば、内蔵ＨＤＤのような着脱ができない記憶媒体を使用した撮像装置において、静止画像（Ｊｐｅｇ形式）と動画像（Ｍｐｅｇ形式）を記録し、メディアライター１１７を用いて両ファイルのＤＶＤディスクを作成する場合、以下の処理を行う。
【００９６】
撮像装置内で、静止画ファイル（Ｊｐｅｇ形式）をＭｐｅｇ変換し動画ファイルとし、更に、変換を必要としない既存の動画ファイルに変換後の動画ファイルを記録日時順など様々なソート処理を施し配置した上で、焼き込み用ファイルを生成する。そして、焼き込み用ファイルをメディアライターに転送する。
【００９７】
この結果、記録された静止画像をＰＣのオーサリングソフトの使用などといった煩わしい処理を行わず、メディアライター１１７の使用のみで、簡単に動画像と共に鑑賞できるＤＶＤディスクを作成することが可能となる。
【００９８】
また、転送ファイルは、メディアライター１１７でのファイナライズ処理にも適用できる。そのため、メディアライター１１７でのファイナライズ処理後に静止画ファイルだけ、据え置きＤＶＤレコーダで鑑賞することができないといった問題も回避可能となる。
【００９９】
また、本発明の目的は、以下の処理を実行することによって達成される。即ち、上述した実施の形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【０１００】
この場合、記憶媒体から読み出されたプログラムコード自体が前述した実施の形態の機能を実現することになり、そのプログラムコード及び該プログラムコードを記憶した記憶媒体は本発明を構成することになる。
【０１０１】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【０１０２】
また、コンピュータが読み出したプログラムコードを実行することにより、上記実施の形態の機能が実現される場合も本発明に含まれる。加えて、そのプログラムコードの指示に基づき、コンピュータ上で稼動しているＯステップＳ（オペレーティングシステム）等が実際の処理の一部または全部を行い、その処理によって前述した実施の形態の機能が実現される場合も含まれる。
【０１０３】
更に、前述した実施の形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【０１０４】
【図１】本発明の実施の形態に係る撮像装置としての、内蔵ＨＤＤを記憶媒体とするＨＤＤカムコーダのブロック構成図である。
【図２Ａ】図１の撮像装置によって実行される画像データ転送処理の第１の実施の形態の手順を示すフローチャートである（１）。
【図２Ｂ】図１の撮像装置によって実行される画像データ転送処理の第１の実施の形態の手順を示すフローチャートである（２）。
【図３】図２のフローを実施した場合に転送されるファイルの概略図である。
【図４Ａ】図１の撮像装置によって実行される画像データ転送処理の第２の実施の形態の手順を示すフローチャートである（１）。
【図４Ｂ】図１の撮像装置によって実行される画像データ転送処理の第２の実施の形態の手順を示すフローチャートである（２）。
【図５】図４のフローを実施した場合に転送されるファイルの概略図である。
【図６】図１の撮像装置によって実行される画像データ転送処理の第３の実施の形態の手順を示すフローチャートである。
【図７】図６のフローを実施した場合に転送されるファイルの概略図である。
【図８】記憶媒体内のファイル保存構成を示す図である。
【図９】ＨＤＤカムコーダとＰＣとの接続例を示す図である。
【図１０】ＨＤＤカムコーダとメディアライターとの接続例を示す図である。
【符号の説明】
【０１０５】
１０１  撮像手段
１０２  画像生成手段
１０３  管理情報生成手段
１０４  画像／管理情報保存手段
１０５  記憶媒体
１０６  動画像保存領域
１０７  静止画像保存領域
１０８  動画像取得手段
１０９  動画像管理情報取得手段
１１０  静止画像取得手段
１１１  静止画像管理情報取得手段
１１２  動画像変換手段
１１３  動画ファイル生成手段
１１４  動画像ソート手段
１１５  転送ファイル生成手段
１１６  外部機器転送手段
１１７  メディアライター
１１８  ＲＡＭ
１１９  ＲＯＭ
１２０  ＣＰＵ
【図１】
0004863510.tif 000002
【図２Ａ】
0004863510.tif 000003
【図２Ｂ】
0004863510.tif 000004
【図３】
0004863510.tif 000005
【図４Ａ】
0004863510.tif 000006
【図４Ｂ】
0004863510.tif 000007
【図５】
0004863510.tif 000008
【図６】
0004863510.tif 000009
【図７】
0004863510.tif 000010
【図８】
0004863510.tif 000011
【図９】
0004863510.tif 000012
【図１０】
0004863510.tif 000013